(57)【要約】【課題】撮影装置毎に操作レスポンスが異なることによる不具合を解消すること。【解決手段】本発明の一態様に係る撮影装置は、撮影した画像情報を可搬型記憶媒体１１に格納する撮影装置１であって、機械的動作によって撮影装置１を操作する機械的操作部１６と、機械的操作部１６の機械的動作を電気信号に変換するドライバ１４１と、電気信号に基づいて撮影装置１の動作を制御する制御部１４２とを有し、制御部１４２は、可搬型記憶媒体１１から得られる情報に基づいて、機械的操作部１６の操作に対する撮影装置１の動作制御を変更することを特徴とする。【選択図】図１
2008147796.tif 000002
【特許請求の範囲】
【請求項１】
撮影した画像情報を可搬型記憶媒体に格納する撮影装置であって、
機械的動作によって前記撮影装置を操作する機械的操作部と、
前記機械的操作部の機械的動作を電気信号に変換するドライバと、
前記電気信号に基づいて前記撮影装置の動作を制御する制御部とを有し、
前記制御部は、前記可搬型記憶媒体から得られる情報に基づいて、前記機械的操作部の操作に対する前記撮影装置の動作制御を変更することを特徴とする、撮影装置。
【請求項２】
前記機械的操作部は回転式の操作部であり、
前記ドライバは、前記機械的操作部の回転を電気信号に変換することを特徴とする、請求項１に記載の撮影装置。
【請求項３】
前記可搬型記憶媒体から得られる情報とは、前記可搬型記憶媒体に登録されているフォルダ名であり、
前記制御部は、前記可搬型記憶媒体に登録されているフォルダ名に基づいて、前記機械的操作部の操作に対する前記撮影装置の動作制御を変更することを特徴とする請求項１または２に記載の撮影装置。
【請求項４】
前記制御部は、前記可搬型記憶媒体に複数のフォルダが登録されている場合に、いずれか１つのフォルダのフォルダ名を選択する手段を有することを特徴とする請求項３に記載の撮影装置。
【請求項５】
前記機械的操作部は、前記撮影装置の光電変換素子に入射する光量を調整する操作部であり、
前記制御部は、前記可搬型記憶媒体から得られる情報に基づいて、前記機械的操作部の操作方向に対する前記光量の増減方向及び／または前記機械的操作部の操作量に対する前記光量の増減量を変更することを特徴とする、請求項１乃至４いずれか１項に記載の撮影装置。
【請求項６】
前記機械的操作部は、前記撮影装置の撮影時におけるシャッター速度を調整する操作部であり、
前記制御部は、前記可搬型記憶媒体から得られる情報に基づいて、前記機械的操作部の操作方向に対する前記シャッター速度の増減方向及び／または前記機械的操作部の操作量に対する前記シャッター速度の増減量を変更することを特徴とする、請求項１乃至４いずれか１項に記載の撮影装置。
【請求項７】
機械的な操作を電気信号に変換して動作を電気的に制御する撮影装置の制御方法であって、
前記撮影装置に挿入されている可搬型記憶媒体の情報を認識し、
前記可搬型記憶媒体から得られる情報に基づいて、前記撮影装置の機械的操作に対する前記撮影装置の動作制御を変更することを特徴とする、撮影装置の制御方法。
【発明の詳細な説明】
【技術分野】
【０００１】
本発明は、撮影装置及び撮影装置の制御方法に関し、特に撮影装置の動作設定に関する。
【背景技術】
【０００２】
従来、カメラやビデオカメラの撮影装置におけるホワイトバランスの手動設定において、Ｒ（赤）、Ｂ（青）等の設定軸方向とその設定可能な範囲及び現在の設定値を表示する方法が提案されている（例えば特許文献１参照）。特許文献１に開示された方法によれば、設定可能な範囲における現在の設定位置を容易に認識することができ、ホワイトバランスを好適に設定することができる。このような撮影装置の設定においては、例えば装置に設けられたダイヤル等の回動操作手段を操作することにより、設定値を変更している。
【特許文献１】特開２００３−３０４５４６公報
【発明の開示】
【発明が解決しようとする課題】
【０００３】
しかしながら、回動操作手段の回動方向と設定値の変化方向との対応はカメラの機種やメーカによって異なる場合が多い。従って、複数のカメラを使い分けて使用する場合等に、回動方向と設定値の変化方向とがカメラ毎に異なると、操作が煩雑になる。例えば、絞り値やシャッタースピードを調整する機能を有するデジタル式の一眼レフカメラや高機能なコンパクトデジタルカメラにおいて、これらの値の調整は電子式のダイヤル操作を電気的に認識することにより設定値が変更されることが多い。このような場合に、ダイヤルの回転方向に対する設定値の増減方向やダイヤルの回転量に対する設定値の増減幅（操作レスポンス）がカメラ毎に異なると、スムーズな撮影を妨げる。回転方向を手動で設定する機能を提供することにより対応することは可能であるが、使用時に設定が必要であると、設定のし忘れなどには対応しきれない。また、１台のカメラを複数人で使用する場合等、使用者によって慣れている操作レスポンスが異なるため、利用者が変わる度に設定の確認が必要となるなどの問題が生じる。
本発明は、上述した実情を考慮してなされたもので、撮影装置毎に操作レスポンスが異なることによる不具合を解消することを目的とする。
【課題を解決するための手段】
【０００４】
上記の課題を解決するために、請求項１に記載の発明は、撮影した画像情報を可搬型記憶媒体に格納する撮影装置であって、機械的動作によって前記撮影装置を操作する機械的操作部と、前記機械的操作部の機械的動作を電気信号に変換するドライバと、前記電気信号に基づいて前記撮影装置の動作を制御する制御部とを有し、前記制御部は、前記可搬型記憶媒体から得られる情報に基づいて、前記機械的操作部の操作に対する前記撮影装置の動作制御を変更することを特徴とする。これにより、撮影装置毎に操作レスポンスが異なることによる不具合を解消することができる。
また、請求項２に記載の発明は、請求項１に記載の撮影装置において、前記機械的操作部は回転式の操作部であり、前記ドライバは、前記機械的操作部の回転を電気信号に変換することを特徴とする。
【０００５】
また、請求項３に記載の発明は、請求項１または２に記載の撮影装置において、前記可搬型記憶媒体から得られる情報とは、前記可搬型記憶媒体に登録されているフォルダ名であり、前記制御部は、前記可搬型記憶媒体に登録されているフォルダ名に基づいて、前記機械的操作部の操作に対する前記撮影装置の動作制御を変更することを特徴とする。これにより、設定すべき操作レスポンスを容易に特定することができる。
また、請求項４に記載の発明は、請求項３に記載の撮影装置において、前記制御部は、前記可搬型記憶媒体に複数のフォルダが登録されている場合に、いずれか１つのフォルダのフォルダ名を選択する手段を有することを特徴とする。
また、請求項５に記載の発明は、請求項１乃至４いずれか１項に記載の撮影装置において、前記機械的操作部は、前記撮影装置の光電変換素子に入射する光量を調整する操作部であり、前記制御部は、前記可搬型記憶媒体から得られる情報に基づいて、前記機械的操作部の操作方向に対する前記光量の増減方向及び／または前記機械的操作部の操作量に対する前記光量の増減量を変更することを特徴とする。
【０００６】
また、請求項６に記載の発明は、請求項１乃至４いずれか１項に記載の撮影装置において、前記機械的操作部は、前記撮影装置の撮影時におけるシャッター速度を調整する操作部であり、前記制御部は、前記可搬型記憶媒体から得られる情報に基づいて、前記機械的操作部の操作方向に対する前記シャッター速度の増減方向及び／または前記機械的操作部の操作量に対する前記シャッター速度の増減量を変更することを特徴とする。
また、請求項７に記載の発明は、機械的な操作を電気信号に変換して動作を電気的に制御する撮影装置の制御方法であって、前記撮影装置に挿入されている可搬型記憶媒体の情報を認識し、前記可搬型記憶媒体から得られる情報に基づいて、前記撮影装置の機械的操作に対する前記撮影装置の動作制御を変更することを特徴とする。
【発明の効果】
【０００７】
本発明によれば、撮影装置毎に操作レスポンスが異なることによる不具合を解消することが可能となる。
【発明を実施するための最良の形態】
【０００８】
以下、図面を参照して、本発明の実施形態を詳細に説明する。本実施形態に係る撮影装置は、撮影した画像の格納先として可搬型の記憶媒体を用いる。また、本実施形態に係る撮影装置は、電子式ダイヤルを回転操作することにより、絞り値やシャッタースピードを調整可能な撮影装置であり、ダイヤルの回転方向に対する設定値の増減方向やダイヤルの回転量に対する設定値の増減幅（操作レスポンス）を、装置に挿入された可搬型記憶媒体に登録されているフォルダ名に基づいて変更する。一般的に、同一の製造業者により製造された撮影装置の操作レスポンスは略同一であると共に、可搬型記憶媒体に登録されるフォルダ名も同一の製造業者であれば同一の文字列を有することが一般的である。従って、可搬型記憶媒体に登録されたフォルダ名によってユーザが慣れている操作レスポンスを識別することができ、その識別結果に基づいて操作レスポンスを設定することにより、操作レスポンスを容易に適正化することができる。
【０００９】
図１は、本実施形態に係る撮影装置１の全体構成を示すブロック図である。本実施形態に係る撮影装置１は、画像撮影部１００においてマイコン２０１の指示に従ってモータドライバ１０１が撮影レンズ系機構部１０２を動作させ、光電変換部であるＣＣＤ（Charge Coupled Device）１０３に撮影対象の光学情報が入力される。ＣＣＤ１０３は、撮影レンズ系機構部１０２から入力された光学情報を、マイコン２０１の指示に従って動作するタイミング信号発生部１０４からのタイミング信号に基づいて光電変換する。ＣＣＤ１０３によって電気情報に変換された画像情報は、同じくタイミング信号に基づいて動作するＡ／Ｄ変換部１０５に入力され、デジタル情報に変換される。Ａ／Ｄ変換部１０５によってデジタルデータに変換された画像情報は、処理システム部２００のデジタル信号処理回路２０２に入力される。
【００１０】
デジタル信号処理回路２０２に入力されたデジタルデータに対して、処理システム部２００に含まれる画像圧縮伸長回路２０３、画素数変換（リサイズ）回路２０４により、必要に応じてＲＧＢ若しくはＹＵＶ形式の画像データの生成、画像データのリサイズ、画像の圧縮等の処理が施され、記録用の画像データが生成される。生成された記録用画像データは、記録媒体制御回路２０５を介して撮影装置１に装着された可搬型記憶媒体１１に格納される。その他、処理システム部２００は、撮影装置１に設けられた表示部１０に撮影した画像やＣＣＤ１０３に入力されている光学情報を表示するためのビデオエンコーダ２０６、加速度センサ１２の検出値に基づいて手ぶれ補正等を行う検出器制御回路２０７、外部の機器との接続端子である通信インターフェース１３を介して外部機器との通信を制御する通信制御回路２０８、ファームウェア等の制御プログラムが格納されている、若しくはロードされて実行されるメインメモリ１４、そのメインメモリ１４を制御するメモリ制御回路２０９、ＤＭＡＣ（Direct Memory Access Contoroller）２１０を有し、これらがシステムバス２１１を介して接続されている。また、画像撮影部１００は、マイコン２０１の指示に従って動作するストロボ１０６を有する。更に、本実施形態に係る撮影装置１には、各種の設定情報が格納されるＥＥＰＲＯＭ（Electronically Erasable and Programmable Read Only Memory、不図示）、ユーザが装置を操作するための操作部１５を有する。
【００１１】
図２は撮影装置１における操作部１５の構成を模式的に示す正面図である。操作部１５は、各種の操作ボタン１５１、絞り値を設定する絞り設定回転操作部１５２及びシャッター速度を設定するシャッター速度設定回転操作部１５３を有する。絞り設定回転操作部１５２を回転させることにより、マイコン２０１がモータドライバ１０１を制御し、撮影レンズ系機構部１０２からＣＣＤ１０３に入射する光束の太さが変化する。また、シャッター速度設定回転操作部１５３を回転させることにより、マイコン２０１がタイミング信号発生器１０４を制御し、撮影時の露光時間が変化する。即ち、絞り設定回転操作部１５２及びシャッター速度設定回転操作部１５３を回転操作することにより、画像撮影時の露光量が変化する。
【００１２】
次に、図３を用いて、ユーザが絞り設定回転操作部１５２若しくはシャッター速度設定回転操作部１５３を回転操作した際に、撮影装置１がその回転方向を検出する処理について説明する。ユーザが絞り設定回転操作部１５２及びシャッター速度設定回転操作部１５３（以降、回転操作部）は、その回転位置に応じて図３に示すような波形を出力する。この例では、回転操作部の回転に応じて波形Ａ及び波形Ｂからなる２つの信号出力が、４５度の異なる位相を保って変化する構成となっている。この方式は、一般にインクリメンタル方式によるロータリーエンコーダを用いた回転情報取得手段として知られているが、以下にこの方式を用いた回転検出方法について簡単に述べる。マイコン２０１は、回転操作部から入力される波形Ａ及び波形Ｂのエッジを検出すると、回転操作部の回転方向を特定するための割り込み処理を実行する。回転操作部には、機械的に回転が固定される位置（クリック位置）があり、これを左からａ、ｂ、ｃ、・・・とする。
【００１３】
回転操作部の初期状態をｂとすると、ｂの時点では波形Ａ及び波形Ｂの信号出力は“Ｈ”である。この地点から回転操作部が右に回転した場合、波形Ａのエッジとして“Ｈ→Ｌ”の出力変化がマイコン２０１によって検出される。これにより、マイコン２０１は、回転操作部が右に回転操作されたことを検出し、その後の処理を実行する。他方、回転操作部がｂの状態から左に回転した場合、波形Ｂのエッジとして、“Ｈ→Ｌ”の出力変化がマイコン２０１によって検出される。これにより、マイコン２０１は、回転操作部が右に回転操作されたことを検出し、その後の処理を実行する。また、回転操作部の初期状態がｃの場合、波形Ａの信号出力は“Ｌ”であり、波形Ｂの信号出力は“Ｈ”である。この地点から回転操作部が右に回転した場合、波形Ｂのエッジとして“Ｈ→Ｌ”の出力変化がマイコン２０１によって検出される。これにより、マイコン２０１は、回転操作部が右に回転操作されたことを検出し、その後の処理を実行する。
【００１４】
他方、回転操作部がｃの状態から左に回転した場合、波形Ａのエッジとして、“Ｌ→Ｈ”の出力変化がマイコン２０１によって検出される。これにより、マイコン２０１は、回転操作部が右に回転操作されたことを検出し、その後の処理を実行する。このように、波形Ａ及び波形Ｂの初期状態の信号出力の組み合わせと、検出される信号出力の変化によって、回転操作部の回転方向を特定することができる。クリック位置における信号出力位置（図３に示すａ、ｂ、ｃ、・・・）の選びかたとしては、図３に示す態様以外でも良く、例えば、図３に示すｂ、ｄ、ｆ、・・・のように、波形Ａ及び波形Ｂの出力が同じ位置のみを選んでも良いし、ｂ、ｆ、・・・若しくはｄ、・・・のように、波形Ａ、波形Ｂの出力が同じ位置のみを選んでも良い。波形Ａと波形Ｂとの信号出力が同じ位置を選択した場合は、波形Ａ若しくは波形Ｂいずれか一方のエッジのみを検出し、その時のもう一方の信号出力を見ることによって右回転か左回転かを特定することもできる。
【００１５】
図４に、回転操作部の操作方向検出及び回転操作部の操作方向に応じた絞り値、シャッター速度の増減方向決定の要部を示す。図４に示すように、メインメモリ１４にドライバプログラム及び制御プログラムがロードされ、マイコン２０１の命令に従ってドライバ１４１及び制御部１４２として動作する。ドライバ１４１は、図３において説明したように、回転操作部の操作に応じて回転方向を特定する。制御部１４２は、回転操作部の操作方向に対する増減方向の設定である回転方向設定情報４２１を有し、ドライバから通知された回転方向に応じて、絞り値若しくはシャッター速度の増減方向及び増減値を決定する。制御部１４２による処理を図５に示すフローチャートを用いて説明する。ドライバ１４１において回転操作部の操作方向が特定されると、この結果が制御部１４２に通知される（Ｓ５０１）。制御部１４２では、回転方向設定情報を参照し（Ｓ５０２）、ドライバ１４２から通知された回転操作部の操作方向に基づき、絞り値の増減方向を決定し、その結果を保持する（Ｓ５０３）。制御部１４２によって絞り値若しくはシャッター速度の増減方向及び増減値が決定されると、マイコン２０１が決定された情報に基づいて絞り値若しくはシャッター速度を制御する。
【００１６】
次に、図６を用いて、可搬型記憶媒体１１のフォルダ情報を検出してから設定を反映する処理を説明する。図６は、可搬型記憶媒体１１のフォルダ情報に基づいた撮影装置１の操作レスポンス変更処理の要部を示すブロック図である。操作レスポンスの変更処理においては、制御部１４２が、内部に有する回転方向設定テーブル４２２と可搬型記憶媒体１１のフォルダ情報とに基づいて、回転方向設定情報４２１を更新する。図７に回転方向設定テーブル４２２に含まれる情報を示す。図７に示すように、回転方向テーブル４２２は、フォルダ名称及びそれに対応した回転方向設定及び増減幅設定が優先順位を付けられて格納されている。ここで言う回転方向設定とは、絞り値を増加させる若しくはシャッタースピードを早くする場合の回転操作部の回転方向であり、増減幅設定とは、回転操作部を単位変化量（１クリック：図３に示すａ〜ｂ、ｂ〜ｃ、・・・）回転させた際の、絞り値及びシャッタースピードの変化量である。図７に示す例としては、“ＡＢＣ”というフォルダ名がもっとも優先順位が高く、可搬型記憶媒体１１に“ＡＢＣ“という文字列を含むフォルダ名が格納されている場合の操作レスポンスとして、回転操作部を右に回転操作したときに絞り値を増加し若しくはシャッタースピードを早くなる。また、その時の増減幅としては、回転操作部を１クリック分回転させたときに、絞り値がａａａだけ変化し、シャッタースピードがｂｂｂだけ変化する。尚、絞り値とシャッタースピードとで別々にテーブルを有しても良い。
【００１７】
次に、図８を用いて、フォルダ情報検出後の動作設定処理について説明する。フォルダ情報の検出及びその後の動作設定も、回転操作部の操作方向の特定と同様、マイコン２０１の命令に従ってメインメモリ１４に構成される制御部１４２が制御する。可搬型記憶媒体１１のフォルダ情報の検出は、撮影装置１の起動時若しくは可搬型記憶媒体１１を装置に挿入した際に実行される。制御部１４２は、記憶媒体制御回路２０５を介して可搬型記憶媒体のフォルダ情報を検出すると（Ｓ８０１）、内部に有する回転方向設定テーブル４２２を参照し、検出したフォルダ情報と照合する（Ｓ８０２）。Ｓ８０２の照合の結果、可搬型記憶媒体１１に登録されているフォルダ名が、回転方向設定テーブル４２２に登録されているフォルダ名と一致すれば（Ｓ８０３）、該当するフォルダ名の回転方向設定を回転方向設定情報４２１に反映し（Ｓ８０４）、処理を終了する。可搬型記憶媒体１１に登録されているフォルダ名が、回転方向設定テーブル４２２に登録されているフォルダ名と一致しなかった場合、若しくは可搬型記憶媒体１１にフォルダが登録されていない場合（Ｓ８０３）、そのまま処理を終了する。尚、制御部１４２の動作設定として、起動時及び可搬型記憶媒体１１の挿入時に、フォルダ情報の検出を行わず、回転操作部の動作設定変更も実行しないようにすることもできる。
【００１８】
図７に示す回転方向設定テーブル４２２の内容については、製造業者毎に一般的に用いられているフォルダ名に応じて、同じく製造業者事の一般的な操作レスポンスを予め登録しておくことが好ましいが、ユーザが手動で設定しても良い。また、夫々のフォルダ名の優先順位については、手動で設定しても良いし自動的に設定しても良い。フォルダ名毎の優先順位の自動設定方法としては、例えば、可搬型記憶媒体に登録されているフォルダのうち、夫々のフォルダに格納されているデータ量若しくは格納ファイル数順に優先順位を設定することができる。格納データ量が大きい若しくは格納ファイル数が多いということは、そのフォルダ名に対応したメーカの撮影装置を頻繁に使用すると判断することができるためである。撮影装置１が、過去に挿入された可搬型記憶媒体１１のフォルダ情報を蓄積しておき、蓄積情報に基づいてフォルダ名の優先順位を決定しても良い。これにより、フォルダ名毎の使用頻度を判断することができる。
【００１９】
以上説明したように、本実施形態に係る撮影装置においては、可搬型記憶媒体に登録されているフォルダ名を以ってユーザが慣れている操作レスポンスを判断し、その判断結果に基づいて操作レスポンスを変更する。これにより、操作レスポンスの自動的な適正化を容易に実現することができる。また、可搬型記憶媒体に登録されているフォルダ名を利用することにより、従来の撮影装置において使用されていた可搬型記憶媒体にも対応可能である。また、文字認識のみで判断できるため、従来の撮影装置に対して高価な装置や大型の装置を付加することなく実現可能である。
【００２０】
尚、上記実施の形態において説明した可搬型記憶媒体のフォルダ名を用いる態様以外に、例えば可搬型記憶媒体に格納されている画像ファイルのファイル名に基づいて判断しても良い。一般的に、撮影装置が撮影した画像を記憶媒体に格納する際のファイル名は、夫々のメーカ毎によって異なるため、ファイル名に基づいてもその可搬型記憶媒体が主に使用されている撮影装置のメーカを特定することができ、結果的にユーザが慣れている操作レスポンスを判断することができる。
【００２１】
その他、可搬型記憶媒体のフォーマット情報等、文字情報以外であっても、撮影装置が可搬型記憶媒体に記録するあらゆる情報に基づいて、本発明を実現することができる。更に、可搬型記憶媒体に記録されている情報以外には、例えば可搬型記憶媒体の種類によって判断しても良い。現在一般的に普及している画像記憶用の可搬型記憶媒体としては、コンパクトフラッシュ（登録商標）、マイクロドライブ、スマートメディア（登録商標）、ＩＣカード、ＳＤカード（登録商標）、メモリースティック（登録商標）等があるが、メーカによって採用している可搬型記憶媒体が異なることが多い。従って、撮影装置が複数種類の可搬型記憶媒体に対応しており、その種類によって操作レスポンスを変更しても良い。このように、可搬型記憶媒体から得られる情報であれば、適用すべき操作レスポンスの判断根拠とすることができ、本発明の効果を得ることができる。
【００２２】
他方、上記の説明においては、変更される操作レスポンスとして、絞り値及びシャッタースピードを例として説明したが、この他、倍率調整（ズーム）や焦点調整（フォーカス）、表示装置１０に表示されるメニュー画面でのカーソルの動作、シャッターを半押し状態にしてピントを合わせる際のシャッターの押下量等、撮影装置においてユーザの機械的操作によりモータ駆動等の電気的手段を介して変更される設定であれば、本発明を適用することができ、上記と同等の効果を奏することができる。また、上記の説明においては、電子式ダイヤル等の回転操作部を例として説明したが、これ以外であっても、例えばスライド式操作部や揺動式操作部、シャッター等の押下式操作部等、機械的な動作を電気信号に変換して装置を操作する操作部（機械的操作部）であれば、本発明を適用することができる。
【図面の簡単な説明】
【００２３】
【図１】本発明の実施形態に係る撮影装置の全体構造を模式的に示すブロック図である。
【図２】本発明の実施形態に係る撮影装置の操作部の構成を模式的に示す正面図である。
【図３】本発明の実施形態に係る回転操作部の回転方向検出方法において用いられる出力波形を示す図である。
【図４】本発明の実施形態に係る撮影装置の要部を示すブロック図である。
【図５】本発明の実施形態に係る撮影装置の動作を示すフローチャートである。
【図６】本発明の実施形態に係る撮影装置の要部を示すブロック図である。
【図７】本発明の実施形態に係る回転操作部の操作方向を決定するためのテーブルを示す図である。
【図８】本発明の実施形態に係る撮影装置の動作を示すフローチャートである。
【符号の説明】
【００２４】
１  撮影装置、１０  表示装置、１１  可搬型記憶媒体、１２  加速度センサ、１３  通信Ｉ／Ｆ、１４  メインメモリ、１５  操作部、１００  画像撮影部、１０１  モータドライバ、１０２  撮像レンズ系機構部、１０３  ＣＣＤ、１０４  タイミング信号発生部、１０５  Ａ／Ｄ変換部、１０６  ストロボ、１４１  ドライバ、１４２  制御部、
１５１  操作ボタン、１５２  絞り設定回転操作部、１５３  シャッター速度設定回転操作部、２００  処理システム部、２０１  マイコン、２０２、デジタル信号処理回路、２０３  画像圧縮伸長回路、２０４  画素数変換回路、２０５  記録媒体制御回路、２０６  ビデオエンコーダ、２０７  検出器制御回路、２０８  通信制御回路、２０９  メモリ制御回路、２１０  ＤＭＡＣ、２１１  システムバス、４２１  回転方向設定情報、４２２  回転方向設定テーブル
【図１】
2008147796.tif 000003
【図２】
2008147796.tif 000004
【図３】
2008147796.tif 000005
【図４】
2008147796.tif 000006
【図５】
2008147796.tif 000007
【図６】
2008147796.tif 000008
【図７】
2008147796.tif 000009
【図８】
2008147796.tif 000010